(57)【要約】  【課題】  浴室ユニットの天井壁に中高音再生スピーカを取り付け、バスタブのエプロンをアクチュエータで振動させて低音再生の構成があるが、低音再生の均一化にばらつきが生じ、中高音のスピーカ部とアクチュエータ部が分離しているため取り付けが複雑化する。本発明は中高音再生部と低音再生部を一つのキャビネットにまとめて収納し浴室ユニットの天井壁への取り付けの簡易化と防水を図るスピーカシステムとする。  【解決手段】  第１空気室と音響ダクトを備えた第２空気室との間に仕切り板を介在させて一体にキャビネットを構成し、音響放射面がキャビネットの外部に臨む第１スピーカユニットを第１空気室に備えたバッフル板に配設し、音響放射面が第２空気室に臨む第２スピーカユニットを仕切り板に配設し、音響ダクトの両開口端部がバッフル板と仕切り板の各々に連通形成しバッフル板を下側にして取り付ける形態である。【選択図】    図２
2005151237.tif 000002
【特許請求の範囲】
【請求項１】
密閉状態に保たれた第１の空気室と音響ダクトを備えた第２の空気室との間に仕切り板を介在させて一体にしたキャビネットを構成し、音響放射面が前記キャビネットの外部に臨むように第１のスピーカユニットを前記第１の空気室に備えたバッフル板に配設すると共に、音響放射面が前記第２の空気室に臨むように第２のスピーカユニットを前記仕切り板に配設したスピーカシステムであり、前記音響ダクトの開口端部が前記バッフル板と前記仕切り板の各々に連通形成され前記バッフル板が下側にして取り付けられることを特徴とするスピーカシステム。
【請求項２】
前記音響ダクトの開口端部へ低く向かう傾斜面が前記仕切り板の表面に形成されていることを特徴とする請求項１に記載のスピーカシステム。
【請求項３】
前記第２のスピーカユニットの音響放射面の外周を囲繞する起立壁を前記仕切り板に備えたことを特徴とする請求項１又は請求項２に記載のスピーカシステム。
【請求項４】
前記第２のスピーカユニットの振動板を撥水性の高い素材で構成し、前記振動板の振動により侵入した水滴等を飛散可能となるようにしたことを特徴とする請求項１乃至３のいずれかに記載のスピーカシステム。
【請求項５】
前記第２の空気室の裏板部をドーム形状に曲成し、前記裏板部に生じた水滴を前記第２の空気室の内周壁側へ導くようにして前記第２のスピーカユニットへの滴下を防止するようにしたことを特徴とする請求項１乃至４のいずれかに記載のスピーカシステム。
【請求項６】
前記裏板部の前記第２の空気室側表面にシボ加工等により微細凹凸を形成し、水滴の親水性を向上するようにしたことを特徴とする請求項１乃至５のいずれかに記載のスピーカシステム。
【請求項７】
密閉状態に保たれた第１の空気室と音響ダクトを備えた第２の空気室との間に仕切り板を介在させて一体にしたキャビネットを構成し、音響放射面が前記キャビネットの外部に臨むように第１のスピーカユニットを前記第１の空気室に備えたバッフル板に配設すると共に、音響放射面が前記第２の空気室に臨むように第２のスピーカユニットを前記仕切り板に配設し、前記音響ダクトの両開口端部が前記バッフル板と前記仕切り板の各々に連通形成されたスピーカシステムを構成し、浴室ユニットの天井パネルに対して、前記バッフル板を室内側にして前記第１のスピーカユニットが下側になるように取り付けた浴室ユニット。
【発明の詳細な説明】
【技術分野】
【０００１】
本発明は、小型化を達成しつつ水滴からの保護を達成するスピーカシステムに関し、特にシステムバスルーム等の浴室ユニットに適用可能なスピーカシステムに関する。
【背景技術】
【０００２】
ユニットバスルーム等の浴室ユニット用音響再生装置がある（例えば、特許文献１参照）。特許文献１の発明では、ユニットバスルームは、防水パンと４枚の壁パネルとアーチ状の天井パネルによって箱状に形成され、防水パン上にバスタブが設置され、壁パネル側には洗い場と洗面器置き用カウンタが配置されている。そして、天井パネルには２個の防水スピーカが取り付けられ、バスタブの洗い場側の壁面（エプロン）にはアクチュエータが取り付けられ、これによって、天井パネルの２個の防水スピーカが中高音を再生し、アクチュエータがエプロンを振動板として低音を再生する構成である。
【特許文献１】特開２００１‐１５７６４２号公報
【発明の開示】
【発明が解決しようとする課題】
【０００３】
特許文献１のものは、中高音の再生が天井パネルに取り付けられた２個の防水スピーカによって行われ、低音の再生がバスタブのエプロンの振動によって行われるため、両音源が分離した状態であり、聴覚的にはフラット感を得にくい。そして、低音の再生がバスタブのエプロンの振動によるため、エプロンの強度や構成によって低音再生の均一化にばらつきが生じる。また、中高音の再生スピーカ部と低音の再生アクチュエータ部が分離しているため、中高音の再生部と低音の再生部を別個に取り付ける手間が掛かり、取り付け作業の複雑化が生じる、という問題がある。
【０００４】
本発明はこのような点に鑑みて、中高音の再生部と低音の再生部を一つのキャビネットにまとめて収納することによって、これらの問題点を解決することができるスピーカシステムを提供する。そして、特にシステムバスルーム等の浴室ユニットの天井壁への取り付けに適し、湿気が凝縮して水滴化した状態でも、この水滴によって音の再生に支障がないようなスピーカシステムを提供するものである。
【課題を解決するための手段】
【０００５】
第１の発明は、密閉状態に保たれた第１の空気室と音響ダクトを備えた第２の空気室との間に仕切り板を介在させて一体にしたキャビネットを構成し、音響放射面が前記キャビネットの外部に臨むように第１のスピーカユニットを前記第１の空気室に備えたバッフル板に配設すると共に、音響放射面が前記第２の空気室に臨むように第２のスピーカユニットを前記仕切り板に配設したスピーカシステムであり、前記音響ダクトの開口端部が前記バッフル板と前記仕切り板の各々に連通形成され前記バッフル板を下側にして取り付けられる形態であることを特徴とするスピーカシステム。
【０００６】
第２の発明は、第１の発明において、前記音響ダクトの開口端部へ低く向かう傾斜面が前記仕切り板の表面に形成されていることを特徴とする。
【０００７】
第３の発明は、第１の発明又は第２の発明において、前記第２のスピーカユニットの音響放射面の外周を囲繞する起立壁を前記仕切り板に備えたことを特徴とする。
【０００８】
第４の発明は、第１乃至第３の発明において、前記第２のスピーカユニットの振動板を撥水性の高い素材で構成し、前記振動板の振動により侵入した水滴等を飛散可能となるようにしたことを特徴とする。
【０００９】
第５の発明は、第１乃至第４の発明において、前記第２の空気室の裏板部をドーム形状に曲成し、前記裏板部に生じた水滴を前記第２の空気室の内周壁側へ導くようにして前記第２のスピーカユニットへの滴下を防止するようにしたことを特徴とする。
【００１０】
第６の発明は、第１乃至第５の発明において、前記裏板部の前記第２の空気室側表面にシボ加工等により微細凹凸を形成し、水滴の親水性を向上するようにしたことを特徴とする。
【００１１】
第７の発明は、密閉状態に保たれた第１の空気室と音響ダクトを備えた第２の空気室との間に仕切り板を介在させて一体にしたキャビネットを構成し、音響放射面が前記キャビネットの外部に臨むように第１のスピーカユニットを前記第１の空気室に備えたバッフル板に配設すると共に、音響放射面が前記第２の空気室に臨むように第２のスピーカユニットを前記仕切り板に配設し、前記音響ダクトの両開口端部が前記バッフル板と前記仕切り板の各々に連通形成されたスピーカシステムを構成し、浴室ユニットの天井パネルに対して、前記バッフル板を室内側にして前記第１のスピーカユニットが下側になるように取り付けたことを特徴とする。
【発明の効果】
【００１２】
第１の発明は、第１のスピーカユニットと第２のスピーカユニットを一体化した構成となり、スピーカシステムのコンパクト化が達成できるため、中高音の再生スピーカ部と低音の再生スピーカ部の取り付けが簡素化される。また、浴室ユニットの天井壁への取り付けにおいても、聴覚的にはフラット感が得られるものとなり、湿気対策もとりやすいものとなる。
【００１３】
第２の発明では、第１の発明の効果に加えて、第１のスピーカユニットを下側にして浴室ユニットの天井壁へ取り付ける場合に適し、仕切り板の表面に付着した水滴はダクトへ導かれて下方へ排出されるため、第２のスピーカユニットの防水効果が向上する。
【００１４】
第３の発明は、第１の発明又は第２の発明の効果に加えて、第１のスピーカユニットを下側にして浴室ユニットの天井壁へ取り付けた場合にも、仕切り板の表面に付着した水滴は起立壁によって第２のスピーカユニットへ侵入することが阻止され、仕切り板の表面に付着した水滴はダクトから下方へ排出されるため、第２のスピーカユニットの防水効果が更に向上する。
【００１５】
第４の発明は、第１乃至第３の発明のいずれかの効果に加えて、第２のスピーカユニットの振動板上に付着した水滴は、振動板の振動によって周囲に飛散されるため、振動板の正規の振動による音の再生が得られると共に、飛散した水滴は仕切り板の表面からダクトを通って排出され、第２のスピーカユニットの防水効果が更に向上する。また、第１のスピーカユニットの振動板も撥水性の高い素材で構成することによって、スピーカシステム全体を耐水性とすることができ、浴室ユニットの天井壁へ取り付けるタイプのスピーカシステムとして好適である。
【００１６】
第５の発明は、第１乃至第４の発明のいずれかの効果に加えて、第１のスピーカユニットを下側にして浴室ユニットの天井壁へ取り付けた場合にも、第２の空気室の裏板部に生じた水滴は裏板部のドーム形状に沿って第２の空気室の内周壁側へ導かれるため、第２のスピーカユニットへの水滴の滴下は防止でき、第２のスピーカユニットの防水効果が更に向上する。
【００１７】
第６の発明は、第１乃至第５の発明のいずれかの効果に加えて、第２空気室の裏板部の表面に付着した水分は、微細凹凸によって平坦状に広がるため球状水滴にならず、球状水滴となって第２のスピーカユニットへ滴下することもなく、第２のスピーカユニットの防水効果が更に向上する。
【００１８】
第７の発明は、上記のように、取り付けの簡素化が得られ、更に音響効果と防滴効果の得られるスピーカシステムを浴室ユニットの天井パネルへ取り付ける標準品とした浴室ユニットが提供でき、浴室ユニットの高級化にもなる。
【発明を実施するための最良の形態】
【００１９】
本発明は、密閉状態に保たれた第１の空気室と音響ダクトを備えた第２の空気室との間に仕切り板を介在させて一体にしたキャビネットを構成し、音響放射面が前記キャビネットの外部に臨むように第１のスピーカユニットを前記第１の空気室に備えたバッフル板に配設すると共に、音響放射面が前記第２の空気室に臨むように第２のスピーカユニットを前記仕切り板に配設したスピーカシステムであり、前記音響ダクトの開口端部が前記バッフル板と前記仕切り板の各々に連通形成され、前記バッフル板を下側にして取り付ける形態であり、その実施例を以下に記載する。
【実施例１】
【００２０】
各図は本発明の実施形態のスピーカシステムとその取り付け状態を示しており、図１は本発明のスピーカシステムの分解斜視図、図２は本発明のスピーカシステム内部構造を示す縦断面図、図３は本発明のスピーカシステムを壁に取り付ける場合の分解斜視図、図４は本発明のスピーカシステムを壁に取り付けた部分の縦断面図、図５は本発明のスピーカシステムを取り付けた浴室ユニットの内部斜視図である。
【００２１】
これらの図において、１は本発明のスピーカシステムであり、これを浴室ユニット３０の天井パネル３３に取り付ける実施形態について説明する。本発明のスピーカシステム１は、密閉状態に保たれた第１の空気室２と音響ダクト３を備えた第２の空気室４との間に仕切り板５を介在させて一体にした円筒状のキャビネット６を構成し、音響放射面７がキャビネット６の外部に臨むように第１のスピーカユニット８を第１の空気室２に備えたバッフル板９に配設すると共に、音響放射面１１が第２の空気室４に臨むように第２のスピーカユニット１０を仕切り板５に配設し、音響ダクト３の一方の開口端部３Ａがバッフル板９に連通開口し他方の開口端部３Ｂが仕切り板５に連通開口するよう形成された構成である。
【００２２】
本発明のスピーカシステム１は、両端開口の合成樹脂製の円筒状キャビネット６と、合成樹脂製のバッフル板９と、合成樹脂製の裏板部１７と、第１のスピーカユニット８と、第２のスピーカユニット１０と、音響ダクト３とを主要構成部品としている。そして、円筒状のキャビネット６の中間部にはキャビネット６を上下に二分する仕切り板５が一体成形され、バッフル板９には裏側に音響ダクト３が一体成形され、仕切り板５には音響放射開口５Ａが形成され、バッフル板９には音響放射開口９Ａが形成されている。そして、音響放射面７を音響放射開口９Ａに対応して音響放射開口９Ａを塞ぐように第１のスピーカユニット８が取り付けられ、音響放射面１１を音響放射開口５Ａに対応して音響放射開口５Ａを塞ぐように第２のスピーカユニット１０が取り付けられ、キャビネット６と他端開口を塞ぐように裏板部１７が取り付けられている。円筒状のキャビネット６はスピーカシステム１の胴体部を構成する形態となる。
【００２３】
これによって、バッフル板９と仕切り板５との間に第１のスピーカユニット８と第２のスピーカユニット１０を収納した密閉の第１の空気室２が形成され、仕切り板５と裏板部１７との間に密閉の第２の空気室４が形成される。そして、音響ダクト３がバッフル板９前面側の空間と第２の空気室４とを連通状態とする。音響ダクト３は第１の空気室２内の一方に偏った位置に配置されている。
【００２４】
第１のスピーカユニット８は、音響信号を受信し増幅等の機能を備えた再生回路装置１２からの信号によってコーン状の振動板１３を振動させて中高音を再生する機能を備え、その取り付けは、振動板１３を取り囲むフレーム１４のフランジ１４Ａをバッフル板９に形成した音響放射開口９Ａの周縁部の裏側にネジ等にて取り付けられている。これによって、コーン状の振動板１３は音響放射開口９Ａに向けて広がった状態である。
【００２５】
第２のスピーカユニット１０は、音響信号を受信し増幅等の機能を備えた再生回路装置１２からの信号によってコーン状の振動板１５を振動させて低音を再生する機能を備え、その取り付けは、振動板１５を取り囲むフレーム１６のフランジ１６Ａを仕切り板５に形成した音響放射開口５Ａの周縁部の裏側にネジ等にて取り付けられている。これによって、コーン状の振動板１５は音響放射開口５Ａに向けて広がった状態である。
【００２６】
裏板部１７は、円筒状キャビネット６内の第２空気室４の後端開口を塞ぐように、キャビネット６の後端開口周縁内に裏板部１７の環状フランジ１９が嵌合した状態でネジ１８にて取り付けられている。
【００２７】
バッフル板９は、キャビネット６内の第１空気室２の下端開口を塞ぐようにバッフル板９の裏側の環状溝２０にキャビネット６の下端開口周縁部が嵌め合わされ、環状溝２０の内側壁にキャビネット６の下端開口周縁がネジ２１にて取り付けられている。このような組立て状態によって、音響ダクト３は第１の空気室２内の一方に偏った位置をとる。
【００２８】
音響ダクト３はバッフル板９と合成樹脂にて一体成形されて一方の開口端部３Ａがバッフル板９の前面に連通し、バッフル板９とキャビネット６との組立てによって、音響ダクト３の他方の開口端部３Ｂが仕切り板５に形成した音響開口５Ｂに連通する構成である。音響ダクト３の一方の開口端部３Ａがバッフル板９に連通し他方の開口端部３Ｂが仕切り板５に連通形成された構成であるため、第１のスピーカユニット８と第２のスピーカユニット１０を一体化した構成となり、スピーカシステム１のコンパクト化が達成できるため中高音の再生スピーカ部と低音の再生スピーカ部の天井パネル３３への取り付けが簡素化される。
【００２９】
本発明のスピーカシステム１は、湿気の多い場所に取り付けられてもその湿気によって生じる水滴からスピーカユニット１を保護する効果のある特徴を備える。図５にはマンションなどの建築物５１内に構成された浴室エリア５０に本発明のスピーカシステム１を備えた浴室ユニット３０を設置する状態の一例を示している。浴室ユニット３０は、防水パン３１と前後左右の側壁パネル３２とアーチ状又はドーム状の天井パネル３３によって箱状に形成され、防水パン３１上にバスタブ３４が設置され、側壁パネル３２側には洗い場と洗面器置き用カウンタ等が配置される。天井パネル３３には２個のスピーカシステム１が、第１のスピーカユニット８を下側にして取り付けられている。そして、天井パネル３３の上面には、２個のスピーカシステム１の間の位置に再生回路装置１２が取り付けられている。
【００３０】
天井パネル３３への２個のスピーカシステム１の各々の取り付け構成は図４に示す。即ち、円筒状キャビネット６に第１のスピーカユニット８と第２のスピーカユニット１０が取り付けられた状態で、円筒状キャビネット６にバッフル板９と裏板部１７が組み合わされたスピーカシステム１を準備し、天井パネル３３に形成した取り付け開口３３Ａを通してキャビネット６を裏板部１７側から挿通させ、環状溝２０の外側位置においてバッフル板９の裏側に配設した環状の弾性パッキン３５を介してバッフル板９を天井パネル３３の下面に位置させ、バッフル板９と天井パネル３３を貫通する複数の取り付けボルト３６でもって取り付ける。
【００３１】
具体的には、下側となるバッフル板９の表面側の周縁部に形成した環状フランジ９Ｂの内側位置にバッフル板９に等角度間隔に形成した複数の挿通孔９Ｃと、天井パネル３３に等角度間隔に形成した複数の挿通孔３３Ｂを貫通する複数の取り付けボルト３６の頭部がこの環状フランジ９Ｂの内側位置に配置される状態で、バッフル板９と天井パネル３３を貫通するボルト３６のネジ部が、天井パネル３３の裏側に配設した環状の取り付けリング３７のネジ部３７Ａに螺合することによって、弾性パッキン３５がバッフル板９の周縁部によって押し圧された状態でスピーカシステム１は天井パネル３３に取り付けられる。取り付けリング３７は、予め天井パネル３３の裏側（上側）の所定位置に取り付けておいてもよい。
【００３２】
このような取り付けによって、バッフル板９が室内側に位置して第１のスピーカユニット８の音響放射面７が下側向きとなり、コーン状の振動板１３が下方に開いた状態となる。そして、第２のスピーカユニット１０の音響放射面１１が上側向きとなり、コーン状の振動板１５が上方に開いた状態となる。これによって、第１の空気室２の上側に第２の空気室４が存在する配置となり、音響ダクト３が上下方向に延びて第２の空気室４の低音を浴室ユニット３０の室内へ伝達できる図２に示すような配置となる。
【００３３】
４０は化粧カバーであり、化粧グリルとも称され、防錆材によってメッシュ状等の形態に構成した防護ネット４０Ａが合成樹脂製の周縁の枠４１に取り付けられており、枠４１は環状そのものでもよいが、枠４１の内側に多角形またはその他の形状の多数の音響孔を形成した形態でもよい。化粧カバー４０は、枠４１に形成した複数の係止爪４２を天井パネル３３に取り付けたバッフル板９に形成した係止孔４３に挿入した状態で、化粧カバー４０を若干回転させることによって、係止爪４２が係止孔４３の係止部４４に弾性係止して着脱自在に取り付けられる構成である。
【００３４】
もし、スピーカシステム１の修理交換等の場合には上記とは逆の操作によって、化粧カバー４０を取り外した後、取り付けボルト３６を緩めて天井パネル３３からスピーカシステム１を取り外すことができる。
【００３５】
上記のように、本発明のスピーカシステム１は、密閉状態に保たれた第１の空気室２と音響ダクト３を備えた第２の空気室４との間に仕切り板５を介在させて一体にした円筒状のキャビネット６を構成し、音響放射面７がキャビネット６の外部に臨むように第１のスピーカユニット８を第１の空気室２に備えたバッフル板９に配設すると共に、音響放射面１１が第２の空気室４に臨むように第２のスピーカユニット１０を仕切り板５に配設し、音響ダクト３の一方の開口端部３Ａがバッフル板９に連通し他方の開口端部３Ｂが仕切り板５に連通形成された構成であるため、第１のスピーカユニット８と第２のスピーカユニット１０を一体化した構成となり、スピーカシステム１のコンパクト化が達成できるため中高音の再生スピーカ部と低音の再生スピーカ部の天井パネル３３への取り付けが簡素化される。
【００３６】
また、浴室ユニット３０の天井パネル３３への取り付けにおいても、低音は第２のスピーカユニット１０によって再生されて第２の空気室４へ放射され、音響ダクト３から下方の浴室ユニット３０の室内へ放射されるため、第１のスピーカユニット８で再生される中高音と相俟って、聴覚的にはフラット感が得られるものとなり、良好な音響効果が得られる。
【００３７】
また、仕切り板５の第２の空気室４側表面５Ｃは、音響ダクト３の開口端部３Ｂへ向けて低くなる傾斜面に形成している。これによって、第１のスピーカユニット８を下側にして浴室ユニット３０の天井パネル３３へ取り付ける場合に適し、天井パネル３３が略水平状態の場合にも、音響ダクト３から侵入した水蒸気が凝縮して水滴仕切り板５の表面に付着した水滴や第２の空気室４の側面から流下する水滴は、ダクト３へ導かれて下方へ排出されるため、第２のスピーカユニット１０の防水効果が向上する。
【００３８】
また、仕切り板５には、第２スピーカユニット１０の音響放射面１１の外周を囲繞する起立壁２２を形成している。具体的には、仕切り板５の第２の空気室４側表面５Ｃに第２のスピーカユニット１０に対応する音響放射開口５Ａの外周を囲繞するように起立壁２２を形成している。もし、第２のスピーカユニット１０を仕切り板５の第２の空気室４側に取り付けた場合にも、第２スピーカユニット１０の音響放射面１１の外周を囲繞して音響放射開口５Ａの外周を囲繞するように起立壁２２を形成すればよい。
【００３９】
これによって、第１のスピーカユニット８を下側にして浴室ユニット３０の天井パネル３３へ取り付けた場合にも、仕切り板５の表面に付着した水滴は起立壁２２によって第２のスピーカユニット１０へ侵入することが阻止され、仕切り板５の表面に付着した水滴はダクト３から下方へ排出されるため、第２のスピーカユニット１０の防水効果が更に向上する。
【００４０】
また、第２のスピーカユニット１０の振動板１５を撥水性の高い素材、例えばポリプロピレン等で構成することによって、振動板１５上に侵入した水滴は振動板１５の振動により周辺へ飛散されるため、振動板１５の正規の振動による音の再生が得られると共に、飛散した水滴は仕切り板の表面からダクトを通って排出され、第２のスピーカユニットの防水効果が更に向上する。また、第１のスピーカユニット８の振動板１３も撥水性の高い素材で構成することによって、スピーカシステム全体を耐水性とすることができ、ユニットバスルーム装置３０の天井パネル３３へ取り付けるスピーカシステムとして好適である。
【００４１】
また、裏板部１７の第２空気室４側の面は第２の空気室４の内周壁４Ａ側へ向けて徐々に低くなるようにドーム形状に曲成されている。このため、第１のスピーカユニット８を下側にして浴室ユニット３０の天井パネル３３へ取り付けた場合にも、音響ダクト３から侵入した水蒸気が凝縮して第２の空気室４の裏板部１７に生じた水滴は、裏板部１７のドーム形状に沿って第２の空気室４の内周壁４Ａ側へ導かれるため、第２のスピーカユニット１０への水滴の滴下は防止でき、第２のスピーカユニット１０の防水効果が更に向上する。
【００４２】
また、裏板部１７の第２の空気室４側表面には、シボ加工等により微細凹凸２３を形成して付着する水滴の親水性を向上することにより、球状になろうとする水滴は平坦になるため、裏板部１７をドーム形状や傾斜状にすれば、それに沿って水を内周壁４Ａ側へ導くことができるため、第２のスピーカユニット１０への水滴の滴下は防止でき、第２のスピーカユニット１０の防水効果が更に向上する。
【００４３】
本発明のスピーカシステム１を標準のコンポーネント（構成要素）とする浴室ユニット３０を市場に提供することもできる。この場合は、密閉状態に保たれた第１の空気室２と音響ダクト３を備えた第２の空気室４との間に仕切り板５を介在させて一体にしたキャビネット６を構成し、音響放射面７がキャビネット６の外部に臨むように第１のスピーカユニット８を第１の空気室２に備えたバッフル板９に配設すると共に、音響放射面１１が第２の空気室４に臨むように第２のスピーカユニット１０を仕切り板５に配設し、音響ダクト３の開口端部がバッフル板９と仕切り板５の各々に連通形成されたスピーカシステム１を浴室ユニット３０の天井パネル３３に対して、バッフル板９を室内側にして第１のスピーカユニット８が下側になるように取り付けた浴室ユニット３０となる。
【００４４】
このような構成の浴室ユニット３０は、上記のように、仕切り板５の第２の空気室４側表面５Ｃを傾斜面としたり、起立壁２２を形成したり、第１及び第２のスピーカユニット８、１０の振動板１３、１５を撥水性の高い素材で構成したり、裏板部１７の第２空気室４側の面をドーム形状にしたり微細凹凸２３を形成する等の構成として、上記同様の効果を得ることができる。
【産業上の利用可能性】
【００４５】
本発明は、上記のように、浴室ユニットの天井パネルに第１のスピーカユニットを下側にし第２のスピーカユニットを上側にして取り付け可能なスピーカシステムとして、各種の浴室ユニットへ適用可能なものとして市場に提供できるが、本発明のスピーカシステムを標準のコンポーネント（構成要素）とする浴室ユニットとして市場に提供することもできる。そして、浴室ユニットとしてのみならず各種の浴室にも適用可能であり、湿気の多い場所での音響効果を得たい場合にも適用可能となる。
【図面の簡単な説明】
【００４６】
【図１】本発明のスピーカシステムの分解斜視図である。（実施例１）
【図２】本発明のスピーカシステム内部構造を示す縦断面図である。（実施例１）
【図３】本発明のスピーカシステムを壁に取り付ける場合の分解斜視図である。（実施例１）
【図４】本発明のスピーカシステムを壁に取り付けた部分の縦断面図である。（実施例１）
【図５】本発明のスピーカシステムを取り付けた浴室ユニットの内部斜視図である。（実施例１）
【符号の説明】
【００４７】
１・・・スピーカシステム
２・・・第１の空気室
３・・・音響ダクト
３Ａ、３Ｂ・・・音響ダクトの開口端部
４・・・第２の空気室
５・・・仕切り板
５Ａ・・音響放射開口
６・・・キャビネット（胴体部）
７・・・音響放射面
８・・・第１のスピーカユニット
９・・・バッフル板
９Ａ・・音響放射開口
１０・・第２のスピーカユニット
１１・・音響放射面
１３・・振動板
１５・・振動板
１７・・裏板部
２０・・環状溝
３０・・浴室ユニット
３３・・天井パネル
４０・・化粧カバー
【図１】
2005151237.tif 000003
【図２】
2005151237.tif 000004
【図３】
2005151237.tif 000005
【図４】
2005151237.tif 000006
【図５】
2005151237.tif 000007